(57)【特許請求の範囲】
【請求項１】
情報を表示する表示部および利用者の操作を受付ける操作部を有する操作表示部と、
原稿の画像を連続して読取る画像読取部と、
画像を出力する出力部と、
前記画像読取部の状態を監視し、前記状態に応じて前記操作表示部に該状態を表示するとともに、前記操作表示部で受付けた利用者の操作に応じて前記画像読取部の動作を制御する状態管理部と、
を有し、
前記状態管理部は、前記画像読取部で原稿の画像を読取っているとき、前記出力部の異常を検知した場合、前記操作表示部に前記異常が発生した旨を表示するとともに、前記画像読取部の読取り動作の停止を指示する操作を受付ける入力手段を表示することを特徴とする画像処理装置。
【請求項２】
請求項１に記載の画像処理装置において、
前記状態管理部は、前記操作表示部で前記画像読取部の読取り動作の停止を指示する操作を受付けた場合、前記画像読取部の読取り動作を停止することを特徴とする画像処理装置。
【請求項３】
請求項１または請求項２に記載の画像処理装置において、
前記状態管理部は、前記操作表示部で前記画像読取部の読取り動作の停止を指示する操作を受付けない場合、前記画像読取部の読取り動作を継続することを特徴とする画像処理装置。
【請求項４】
請求項１から請求項３のいずれかに記載の画像処理装置において、
前記出力部は、画像を印刷する印刷部であることを特徴とする画像処理装置。
【請求項５】
請求項４に記載の画像処理装置において、
前記印刷部の異常は、紙詰まりであることを特徴とする画像処理装置。
【請求項６】
請求項５に記載の画像処理装置において、
前記印刷部は、前記画像読取部が読取った原稿の画像を印刷し、
前記状態管理部は、前記印刷部の異常を検知した場合、前記操作表示部に前記画像読取部が読取った原稿の枚数および前記印刷部が印刷した印刷枚数を表示することを特徴とする画像処理装置。
【請求項７】
請求項１から請求項３のいずれかに記載の画像処理装置において、
前記出力部は、画像を送信する送信部であることを特徴とする画像処理装置。
【請求項８】
請求項７に記載の画像処理装置において、
前記送信部は、前記画像読取部が読取った原稿の画像を、外部装置に送信する第１の送信部、ファクシミリ送信する第２の送信部、および外部記憶装置に送信する第３の送信部のいずれかを含むことを特徴とする画像処理装置。
【発明の詳細な説明】
【技術分野】
【０００１】
本発明は、原稿の画像を読取る画像読取部を備えた画像処理装置に関する。
【背景技術】
【０００２】
従来の画像処理装置は、原稿画像の読取り動作中に複写処理が不可能な異常が発生した場合、読取り動作を停止させることなく継続して行い、読取った画像データを蓄積し、異常が解消された後、蓄積した画像データを印刷するようにしている（例えば、特許文献１参照）。
【先行技術文献】
【特許文献】
【０００３】
【特許文献１】特開平４−２７３７５４号公報
【発明の概要】
【発明が解決しようとする課題】
【０００４】
しかしながら、従来の技術においては、原稿の読取り動作を行っているときに、並行して行っている他の動作で異常の発生を検知した場合であって、原稿の読取り動作よりも発生した異常の解除を優先させたい場合でも、自動給紙部に残っているすべての原稿の読取り動作が完了するまで当該異常を復旧させることができないという問題がある。
本発明は、このような問題を解決することを課題とし、原稿を読取る動作よりも優先して異常の解除を行えるようにすることを目的とする。
【課題を解決するための手段】
【０００５】
そのため、本発明は、情報を表示する表示部および利用者の操作を受付ける操作部を有する操作表示部と、原稿の画像を連続して読取る画像読取部と、画像を出力する出力部と、前記画像読取部の状態を監視し、前記状態に応じて前記操作表示部に該状態を表示するとともに、前記操作表示部で受付けた利用者の操作に応じて前記画像読取部の動作を制御する状態管理部と、を有し、前記状態管理部は、前記画像読取部で原稿の画像を読取っているとき、前記出力部の異常を検知した場合、前記操作表示部に前記異常が発生した旨を表示するとともに、前記画像読取部の読取り動作の停止を指示する操作を受付ける入力手段を表示することを特徴とする。
【発明の効果】
【０００６】
このようにした本発明は、原稿を読取る動作よりも優先して異常の解除を行うことができるという効果が得られる。
【図面の簡単な説明】
【０００７】
【図１】実施例における印刷装置の構成を示すブロック図
【図２】実施例における読取り中紙詰まり発生画面の説明図
【図３】実施例における読取り一時停止画面の説明図
【図４】実施例における紙詰まり発生画面の説明図
【図５】実施例における読取り再開画面の説明図
【図６】実施例における状態管理部の状態遷移図
【図７】実施例における読取り中断処理の流れを示す説明図
【発明を実施するための形態】
【０００８】
以下、図面を参照して本発明による画像処理装置の実施例を説明する。
【実施例１】
【０００９】
図１は実施例における印刷装置の構成を示すブロック図である。
図１において、画像処理装置としての印刷装置１００は、原稿の画像を読取る画像読取部を備えた装置であり、例えば複写機能を有する複合機（ＭＦＰ：ＭｕｌｔｉＦｕｎｃｔｉｏｎ  Ｐｅｒｉｐｈｅｒａｌｓ）等である。この印刷装置１００は、オペレータパネルで利用者２００の入力操作を受付け、自動給紙装置であるＡＤＦ（Ａｕｔｏ  Ｄｏｃｕｍｅｎｔ  Ｆｅｅｄｅｒ）や原稿台であるコンタクトガラス上にセットされた原稿をスキャナで読取り、読取った原稿の画像データを媒体に印刷する複写（コピー）を行うものである。
【００１０】
印刷装置１００は、オペレータパネル１１０と、パネル制御部１２０と、スキャナ制御部１３０と、画像処理部１４０と、印刷部１５０と、状態管理部１６０とを有するものである。なお、印刷装置１００は、ＣＰＵ（Ｃｅｎｔｒａｌ  Ｐｒｏｃｅｓｓｉｎｇ  Ｕｎｉｔ）等の制御手段およびメモリ等の記憶手段を備え、制御手段が記憶手段に格納された制御プログラム（ソフトウェア）に基づいて印刷装置１００全体の動作を制御する。
【００１１】
操作表示部としてのオペレータパネル１１０は、情報を表示する表示部および利用者の操作を受付ける操作部を有するものである。このオペレータパネル１１０は、表示部および操作部としてのタッチパネル等で構成され、パネル制御部１２０の指示に従って情報を表示するとともに、情報の入力やジョブの起動等の利用者２００の入力操作を受付けるものである。
【００１２】
パネル制御部１２０は、状態管理部１６０の指示に従い、オペレータパネル１１０を制御し、情報の表示および情報の入力等を行うものである。パネル制御部１２０は、情報の入力やジョブの起動等の利用者２００の入力操作をオペレータパネル１１０で受付けると、その情報を状態管理部１６０へ通知する。
画像読取部としてのスキャナ制御部１３０は、状態管理部１６０の指示に従い、原稿の画像を連続して読取り、原稿の画像データを生成し、記憶手段に記憶するものである。また、スキャナ制御部１３０は、読取った原稿の枚数を計数し、記憶手段に記憶する。
【００１３】
スキャナ制御部１３０は、状態管理部１６０から読取り開始の指示を受けると、ＡＤＦ１３３に原稿が存在することをセンサ等で検知した場合、その原稿がなくなるまで１枚毎にスキャナ１３２で原稿の読取りを行う。ＡＤＦ１３３に原稿が存在しない場合、スキャナ制御部１３０は、コンタクトガラス１３１に載置された原稿の読取りをスキャナ１３２で１回行う。スキャナ制御部１３０は、１枚の原稿を読取る度に、読取った原稿の画像データを画像処理部１４０に渡して画像データの印刷を依頼する。
スキャナ制御部１３０は、状態管理部１６０から読取り中断の指示を受けると、ＡＤＦ１３３上の原稿の読取り動作を行っている場合、その原稿の読取り動作を中断する。スキャナ制御部１３０は、読取り動作を中断すると、状態管理部１６０に読取り動作の中断が完了した旨を通知する。
【００１４】
スキャナ制御部１３０は、読取り動作の中断中に、状態管理部１６０から読取り再開の指示を受けると、中断していた読取り動作を再開し、再びＡＤＦ１３３上の原稿の読取り動作を行い、ＡＤＦ１３３上の原稿がなくなるまで原稿の読取り動作を行う。スキャナ制御部１３０は、ＡＤＦ１３３上の原稿がなくなるまで原稿の読取り動作を行った後、状態管理部１６０に読取り動作が完了した旨を通知する。なお、スキャナ制御部１３０は、状態管理部１６０から読取り再開の指示を受けたときに、ＡＤＦ１３３上に原稿が存在しない場合、原稿の読取り動作を行うことなく、直ちに状態管理部１６０に読取り動作が完了した旨を通知する。
【００１５】
画像処理部１４０は、スキャナ制御部１３０が読取った原稿の画像データとともに、その画像データの印刷依頼を受けると、画像データを印刷部１５０が印刷できる印刷データに変換し、印刷部１５０に印刷を依頼するものである。
出力部としての印刷部１５０は、画像処理部１４０から印刷データとともに印刷依頼が通知されると、その印刷データの印刷（出力）を行うものである。また、印刷部１５０は、印刷した枚数を計数し、記憶手段に記憶する。
【００１６】
印刷部１５０は、センサ等により印刷中に紙詰まりを検知した場合、印刷を中断して紙詰まりが発生した旨を状態管理部１６０に通知する。また、印刷部１５０は、センサ等により紙詰まりの解消を検知した場合、紙詰まりが解消した旨を状態管理部１６０に通知する。さらに、印刷部１５０は、状態管理部１６０から原稿の読取りが完了した旨の通知を受けると、依頼されて保持している画像データの印刷がすべて完了した時点で印刷が完了した旨を状態管理部１６０へ通知する。
【００１７】
なお、印刷部１５０は、スキャナ制御部１３０が読取った原稿の画像を印刷するだけでなく、通信回線を介して接続された外部装置としてのホストコンピュータから受信した画像データも印刷できるようになっている。
状態管理部１６０は、スキャナ制御部１３０の状態を監視し、スキャナ制御部１３０の状態に応じてオペレータパネル１１０に該状態を表示するとともに、オペレータパネル１１０で受付けた利用者の操作に応じてスキャナ制御部１３０の動作を制御するものである。
【００１８】
本実施例において、状態管理部１６０は、スキャナ制御部１３０の状態を管理するとともに、パネル制御部１２０および印刷部１５０からの通知に基づいてスキャナ制御部１３０に対して原稿の読取開始、原稿の読取り中断、原稿の読取り再開を指示する。また、状態管理部１６０は、スキャナ制御部１３０からの原稿の読取り完了の通知に基づいて印刷部１５０に対して印刷を指示するものである。
状態管理部１６０は、スキャナ制御部１３０の状態をスキャナ状態として保持し、スキャナ制御部１３０に対して通知を行い、またスキャナ制御部１３０から通知を受けてスキャナ状態を更新する。
【００１９】
このスキャナ状態は、図６に示すように、待機中６１、読取り中６２、および中断中６３の３つの状態で構成されている。
初期状態は待機中６１であり、状態管理部１６０がスキャナ制御部１３０へ読取り開始を指示すると、待機中６１から読取り中６２に移行する。
読取り中６２において、スキャナ制御部１３０から読取り完了の通知を受けると待機中６１に移行する。また、読取り中６２において、スキャナ制御部１３０から中断完了の通知を受けると中断中６３に移行する。
【００２０】
中断中６３において、状態管理部１６０がスキャナ制御部１３０へ読取り再開を指示すると、読取り中６２に移行する。
状態管理部１６０は、印刷部１５０から紙詰まりが発生した旨の通知を受けたとき、スキャナ状態に応じた動作を行う。
【００２１】
状態管理部１６０は、読取り中６２において、印刷部１５０から紙詰まりが発生した旨の通知を受けると、パネル制御部１２０に読取り中紙詰まり発生画面の表示を依頼する。この読取り中紙詰まり発生画面は、例えば図２に示す読取り中紙詰まり発生画面２０であり、紙詰まりが発生している旨を報知する文言、読取った原稿の枚数（読取り枚数）、および印刷した枚数（印刷枚数）とともに、原稿読取り動作の一時停止を指示する「読取り一時停止」ボタン２１、および既に記憶手段に記憶されている画像データを消去して読取り動作を終了する「キャンセル」ボタン２２を含んでいる。
【００２２】
状態管理部１６０は、読取り中６２以外の状態で印刷部１５０から紙詰まりが発生した旨の通知を受けると、パネル制御部１２０に紙詰まり発生画面の表示を依頼する。この紙詰まり画面は、例えば図４に示す紙詰まり画面４０であり、読取り停止中である旨を報知する文言、紙詰まりが発生している旨を報知する文言、読取った原稿の枚数（読取り枚数）、および印刷した枚数（印刷枚数）とともに、原稿読取り動作の再開を指示する「読取り再開」ボタン４１、および既に記憶手段に記憶されている画像データを消去して読取り動作を終了する「キャンセル」ボタン４２を含んでいる。
【００２３】
また、状態管理部１６０は、印刷部１５０から紙詰まりが解消した旨の通知を受けたとき、スキャナ状態に応じた動作を行う。
状態管理部１６０は、中断中６３において、印刷部１５０から紙詰まりが解消した旨の通知を受けると、パネル制御部１２０に読取り再開画面の表示を依頼する。この読取り再開画面は、例えば図５に示す読取り再開画面５０であり、読取った原稿の枚数（読取り枚数）、および印刷した枚数（印刷枚数）とともに、原稿読取り動作の再開を指示する「読取り再開」ボタン５１、および既に記憶手段に記憶されている画像データを消去して読取り動作を終了する「キャンセル」ボタン５２を含んでいる。
【００２４】
状態管理部１６０は、待機中６１の状態で印刷部１５０から紙詰まりが解消した旨の通知を受けると、パネル制御部１２０に印刷再開画面の表示を依頼する。
さらに、状態管理部１６０は、パネル制御部１２０からコピー開始を指示する通知を受けると、パネル制御部１２０に原稿を読取り中である旨を報知する読取中画面の表示を依頼するとともに、スキャナ制御部１３０に原稿読取りの開始を指示する。
【００２５】
状態管理部１６０は、読取り中紙詰まり発生画面（図２参照）が表示されている間に、読取り中紙詰まり発生画面において「読取り一時停止」ボタンが押下されてパネル制御部１２０から読取り中断を指示する通知を受けると、パネル制御部１２０に原稿の読取り一時停止画面の表示を依頼するとともに、スキャナ制御部１３０に原稿読取りの中断を指示する。読取り一時停止画面は、例えば図３に示す読取り一時停止画面３０であり、読取を一時中断している旨を報知するポップアップ画面３１を含むものである。
【００２６】
一方、読取り中紙詰まり発生画面（図２参照）が表示されている間に、読取り中紙詰まり発生画面において「読取り一時停止」ボタンが押下されず、スキャナ制御部１３０が原稿の読取を完了した場合、状態管理部１６０は、スキャナ制御部１３０から読取り完了の通知を受けると、パネル制御部１２０に紙詰まり画面の表示を依頼する。この紙詰まり発生画面は、例えば図４に示す紙詰まり発生画面４０である。
また、状態管理部１６０は、スキャナ制御部１３０から中断完了の通知を受けると、パネル制御部１２０に紙詰まり画面の表示を依頼する。
【００２７】
状態管理部１６０は、読取り再開画面（図５参照）において「読取り再開」ボタンが押下されてパネル制御部１２０から読取り再開を指示する通知を受けると、パネル制御部１２０に原稿の読取り中画面の表示を依頼するとともに、スキャナ制御部１３０に原稿読取りの再開を指示する。
状態管理部１６０は、スキャナ制御部１３０から紙詰まりの通知を受けておらず、読取り中紙詰まり発生画面を表示していない通常の状態でスキャナ制御部１３０から読取り完了の通知を受けると、パネル制御部１２０に印刷画面の表示を依頼するとともに、印刷部１５０に原稿の読取りが完了した旨の通知を行う。
【００２８】
状態管理部１６０は、印刷部１５０から印刷完了の通知を受けると、コピーが完了したと判断してパネル制御部１２０に待機画面の表示を依頼する。
このように、状態管理部１６０は、スキャナ制御部１３０で原稿の画像を読取っているとき、印刷部１５０の異常を検知した場合、オペレータパネル１１０に、印刷部１５０で異常が発生した旨を表示するとともに、スキャナ制御部１３０の読取り動作の停止を指示する操作を受付ける入力手段として「読取り一時停止」ボタンを表示する。
【００２９】
状態管理部１６０は、オペレータパネル１１０でスキャナ制御部１３０の読取り動作の停止を指示する操作を受付けた場合、スキャナ制御部１３０の読取り動作を停止し、スキャナ制御部１３０の読取り動作の停止を指示する操作を受付けない場合、スキャナ制御部１３０の読取り動作を継続する。
なお、本実施例では、出力部を印刷部１５０として説明するが、それに限られることなく、出力部を、読取った原稿の画像を電子メールで外部装置に送信する第１の送信部、ファクシミリ送信する第２の送信部、または読取った原稿の画像をＵＳＢ（Ｕｎｉｖｅｒｓａｌ  Ｓｅｒｉａｌ  Ｂｕｓ）メモリ等の外部記憶装置に格納する第３の送信部等としても良い。
【００３０】
上述した構成の作用について説明する。
印刷装置が行う原稿の読取り中断処理を図７の実施例における読取り中断処理の流れを示す説明図の図中Ｓで表すステップにしたがって図１を参照しながら説明する。なお、出力部を印刷部１５０とし、出力部の異常を紙詰まりとして説明する。
Ｓ１：印刷装置１００は、利用者２００によりＡ４判原稿３枚がＡＤＦ１３３にセットされ、等倍で１部のコピーを行う設定操作およびコピーを開始させる入力操作をオペレータパネル１１０で受付ける。コピーを開始させる入力操作を受付けたオペレータパネル１１０は、パネル制御部１２０へコピーの開始指示を通知する。
【００３１】
Ｓ２：開始指示の通知を受けたパネル制御部１２０は、状態管理部１６０へコピーの開始指示を通知する。
Ｓ３：開始指示の通知を受けた状態管理部１６０は、パネル制御部１２０に読取り中画面の表示依頼を行う。
Ｓ４：読取り中画面の表示依頼を受けたパネル制御部１２０は、オペレータパネル１１０に読取り中画面を表示する。
【００３２】
Ｓ５：さらに、状態管理部１６０は、スキャナ制御部１３０に原稿読取りの開始を指示するとともに、スキャナ状態を図６に示す待機中６１から読取り中６２に更新する。
Ｓ６：原稿読取り開始の指示を受けたスキャナ制御部１３０は、ＡＤＦ１３３に原稿が存在すると判断すると、ＡＤＦ１３３から原稿を１枚給紙し、１枚目の原稿の読取りを開始する。スキャナ制御部１３０は、１枚目の原稿を読取ると原稿読取り枚数を「１」とする。
【００３３】
Ｓ７：１枚目の原稿を読取ったスキャナ制御部１３０は、画像処理部１４０に読取った原稿の画像データの印刷を依頼する。
Ｓ８：画像処理部１４０は、依頼された画像データの画像処理を行い、印刷部１５０に画像データの印刷を指示する。
Ｓ９：印刷部１５０は、指示された画像データの印刷動作を行い、印刷枚数を「１」とする。ここで、印刷部１５０は、印刷中に用紙の紙詰まりを検知し、印刷動作を停止するものとする。
【００３４】
Ｓ１０：紙詰まりを検知した印刷部１５０は、状態管理部１６０へ紙詰まりが発生した旨を通知する紙詰まり通知を行う。
Ｓ１１：紙詰まり通知を受けた状態管理部１６０は、スキャナ状態が読取り中であるため、パネル制御部１２０に読取り中紙詰まり画面の表示依頼を行う。
Ｓ１２：読取り中紙詰まり画面の表示依頼を受けたパネル制御部１２０は、オペレータパネル１１０に図２に示す読取り中紙詰まり画面２０を表示する。なお、読取り中紙詰まり画面２０には、スキャナ制御部１３０が読取った原稿の枚数および印刷部１５０が印刷した印刷枚数が表示される。
【００３５】
Ｓ１３：スキャナ制御部１３０は、ＡＤＦ１３３から原稿を１枚給紙し、２枚目の原稿の読取りを開始する。
Ｓ１４：ここで、印刷装置１００は図２に示す読取り中紙詰まり画面２０において利用者２００による原稿の読取りを中断（一時停止）させる入力操作（「読取り一時停止」ボタン２１の押下）をオペレータパネル１１０で受付けるものとし、原稿の読取りを中断させる入力操作を受付けたオペレータパネル１１０は、原稿の読取りを中断する指示をパネル制御部１２０へ通知する。
【００３６】
なお、利用者２００による原稿の読取りを中断させる入力操作をオペレータパネル１１０で受付けていない状態では、スキャナ制御部１３０は、原稿の読取りを継続して行うものとする。また、図２に示す読取り中紙詰まり画面２０において、原稿の読取りを終了させる「キャンセル」ボタン２２の押下をオペレータパネル１１０で受付けた場合、スキャナ制御部１３０は、既に記憶手段に記憶されている画像データを消去して読取り動作を終了する。
【００３７】
Ｓ１５：原稿の読取りを中断する指示を受けたパネル制御部１２０は、状態管理部１６０へ原稿読取り中断指示を通知する。
Ｓ１６：原稿読取り中断指示の通知を受けた状態管理部１６０は、パネル制御部１２０に読取り一時停止画面の表示依頼を行う。
Ｓ１７：読取り一時停止画面の表示依頼を受けたパネル制御部１２０は、オペレータパネル１１０に読取り一時停止画面（図３参照）を表示する。
【００３８】
Ｓ１８：さらに、状態管理部１６０は、スキャナ制御部１３０に原稿読取り中断を指示する。
Ｓ１９：スキャナ制御部１３０は、原稿読取り中断の指示を受けた現在行っている原稿読取り動作を継続させ、１枚の原稿を読取り、画像処理部１４０に読取った原稿の画像データの印刷を依頼する。
Ｓ２０：画像処理部１４０は、依頼された画像データの画像処理を行い、印刷部１５０に画像データの印刷を指示する。印刷部１５０は、現在紙詰まり状態であるため指示された印刷を保留する。
【００３９】
Ｓ２１：スキャナ制御部１３０は、１枚の原稿の読取りが完了すると、原稿の読取り動作を中断する。
Ｓ２２：原稿の読取り動作を中断したスキャナ制御部１３０は、原稿の読取り動作の中断が完了した旨の中断完了を状態管理部１６０に通知する。
Ｓ２３：中断完了通知を受けた状態管理部１６０は、スキャナ状態を図６に示す読取り中６２から中断中６３に更新し、パネル制御部１２０に紙詰まり画面の表示依頼を行う。
Ｓ２４：紙詰まり画面の表示依頼を受けたパネル制御部１２０は、オペレータパネル１１０に図４に示す紙詰まり画面４０を表示する。
【００４０】
Ｓ２５：ここで、利用者２００は、印刷装置１００のＡＤＦ１３３上に残った１枚の原稿を回収し、スキャナ１３２を持ち上げる等、移動させた後、印刷装置１００のカバー等を開けて搬送路に残った用紙を除去等して紙詰まりを解除し、印刷装置１００のカバーおよびスキャナ１３２を元に戻すものとする。
印刷部１５０は、センサ等により紙詰まりの解消を検知し、保留していた画像データの印刷を再開する。
Ｓ２６：紙詰まりの解消を検知した印刷部１５０は、状態管理部１６０へ紙詰まりが解消した旨を通知する紙詰まり解消通知を行う。
【００４１】
Ｓ２７：紙詰まり解消通知を受けた状態管理部１６０は、パネル制御部１２０に読取り再開画面の表示依頼を行う。
なお、印刷装置１００の紙詰まりが解除されていない場合でも、図４に示す紙詰まり画面４０において、原稿読取り動作の再開を指示する「読取り再開」ボタン４１の押下をパネル制御部１２０が検知すると、状態管理部１６０は、パネル制御部１２０に読取り再開画面の表示依頼を行う。また、図４に示す紙詰まり画面４０において、原稿の読取りを終了させる「キャンセル」ボタン４２の押下をオペレータパネル１１０で受付けた場合、スキャナ制御部１３０は、既に記憶手段に記憶されている画像データを消去して読取り動作を終了する。
【００４２】
Ｓ２８：読取り再開画面の表示依頼を受けたパネル制御部１２０は、オペレータパネル１１０に読取り再開画面（図５参照）を表示する。
Ｓ２９：利用者２００は、残っていた１枚の原稿をＡＤＦ１３３上に再セットし、図５に示す読取り再開画面５０において原稿の読取りを再開させる入力操作（「読取り再開」ボタン５１の押下）を行うものとする。原稿の読取りを再開させる入力操作を受付けたオペレータパネル１１０は、原稿の読取りを再開する指示をパネル制御部１２０へ通知する。
【００４３】
なお、図５に示す読取り再開画面５０において、原稿の読取りを終了させる「キャンセル」ボタン５２の押下をオペレータパネル１１０で受付けた場合、スキャナ制御部１３０は、既に記憶手段に記憶されている画像データを消去して読取り動作を終了する。
Ｓ３０：原稿の読取りを再開する指示を受けたパネル制御部１２０は、状態管理部１６０へ原稿読取り再開指示を通知する。
【００４４】
Ｓ３１：原稿読取り再開指示の通知を受けた状態管理部１６０は、パネル制御部１２０に読取り中画面の表示依頼を行う。
Ｓ３２：読取り中画面の表示依頼を受けたパネル制御部１２０は、オペレータパネル１１０に読取り中画面を表示する。
Ｓ３３：さらに、状態管理部１６０は、スキャナ制御部１３０に原稿読取りの再開を指示するとともに、スキャナ状態を図６に示す中断中６３から読取り中６２に更新する。
【００４５】
Ｓ３４：スキャナ制御部１３０は、ＡＤＦ１３３から原稿を１枚給紙し、３枚目の原稿の読取りを開始する。
Ｓ３５：３枚目の原稿を読取ったスキャナ制御部１３０は、画像処理部１４０に読取った原稿の画像データの印刷を依頼する。
Ｓ３６：画像処理部１４０は、依頼された画像データの画像処理を行い、印刷部１５０に画像データの印刷を指示する。
Ｓ３７：３枚目の原稿の読取り動作を完了したスキャナ制御部１３０は、ＡＤＦ１３３上の原稿が無くなったことを検知し、原稿の読取りが完了した旨の読取り完了を状態管理部１６０に通知する。
【００４６】
Ｓ３８：読取り完了通知を受けた状態管理部１６０は、パネル制御部１２０に印刷画面の表示依頼を行うとともに、スキャナ状態を図６に示す読取り中６２から待機中６１に更新する。
Ｓ３９：印刷画面の表示依頼を受けたパネル制御部１２０は、オペレータパネル１１０に印刷画面を表示する。
Ｓ４０：さらに、状態管理部１６０は、印刷部１５０に原稿の読取りが完了した旨を通知する。
【００４７】
Ｓ４１：印刷部１５０は、画像処理部１４０から印刷を指示されていたすべてのページの画像データの印刷を終了すると、状態管理部１６０へ印刷が完了した旨を通知する印刷完了通知を行う。
Ｓ４２：印刷完了通知を受けた状態管理部１６０は、パネル制御部１２０に待機画面の表示依頼を行う。
Ｓ４３：待機画面の表示依頼を受けたパネル制御部１２０は、オペレータパネル１１０に待機画面を表示し、本処理を終了する。
【００４８】
このように、印刷装置１００の状態管理部１６０は、スキャナ制御部１３０で原稿の読取り動作を行っているときに、印刷部１５０が印刷中に紙詰まりを検知した場合、オペレータパネル１１０に原稿の読取りを一時停止させる操作ボタンを備えた読取り中紙詰まり画面を表示し、原稿の読取りを中断できるようにしたことにより、原稿の読取りよりも優先して紙詰まりを解除することができる。
原稿の読取り動作と印刷動作のように二つ以上の動作を並行して行う場合であって原稿の読取り動作以外の他の動作で異常が発生した場合、従来は原稿の読取り動作が完了した後に、他の動作の異常を解除するようにしていたため、並行して動作を行うことができなくなり、すべての動作が完了するまでに多くに時間を必要としていた。
【００４９】
しかしながら、本実施例のように、原稿の読取り動作と印刷動作のように二つ以上の動作を並行して行う場合であって原稿の読取り動作以外の他の動作で異常が発生した場合、原稿の読取り動作を一時停止させて、他の動作の異常を解除することができるようにしたため、すべての動作が完了するまでの時間を短縮させることができる。
また、本実施例では、読取り中紙詰まり画面において、原稿の読取りを一時停止させる操作ボタンが押下されない場合は、原稿の読取りを継続して行うことができる。
すなわち、利用者は状況に応じて紙詰まりの解除と、継続した原稿の読取りとを選択することができる。
【００５０】
なお、本実施例では、原稿の読取り動作以外の他の動作での異常として印刷部１５０の紙詰まりとして説明したが、それに限られることなく、原稿の読取り動作と並行して行われる動作の異常であれば、読取った原稿の画像を電子メールで外部装置に送信する場合の回線接続不良等の第１の送信部の異常、ファクシミリ送信する場合の回線接続不良等の第２の送信部の異常、読取った原稿の画像をＵＳＢメモリ等の外部記憶装置に格納する場合の接続不良や記憶容量不足等の第３の送信部の異常のいずれかの異常としても良い。
【００５１】
以上説明したように、印刷装置の状態管理部は、スキャナ制御部で原稿の読取り動作を行っているときに、並行する他の動作で異常の発生を検知した場合、オペレータパネルに原稿の読取りを一時停止させる操作ボタンを備えた操作画面を表示し、原稿の読取りを中断できるようにしたことにより、原稿の読取りよりも優先して他の動作の異常を解除することができるという効果が得られる。
【００５２】
また、原稿の読取り動作と並行して行われる他の動作で発生した異常の解除と、原稿の読取りの継続とを選択できるようにしたことにより、異常の解除を行うことなく原稿の読取りを継続して行い、読取り動作が完了した後に、異常の解除を行うことができるという効果が得られる。
なお、本実施例では、画像処理装置を印刷装置（複合機）として説明したが、それに限られることなく、原稿読取り機能を有する装置であれば複写機、ファクシミリ装置等としても良い。
【符号の説明】
【００５３】
１００  印刷装置
１１０  オペレータパネル
１２０  パネル制御部
１３０  スキャナ制御部
１４０  画像処理部
１５０  印刷部
１６０  状態管理部
【図１】
0006379053.tif 000002
【図２】
0006379053.tif 000003
【図３】
0006379053.tif 000004
【図４】
0006379053.tif 000005
【図５】
0006379053.tif 000006
【図６】
0006379053.tif 000007
【図７】
0006379053.tif 000008